(57)【要約】【課題】  組み立てが簡単にでき且つ折り畳み自在な棚板やテーブルを取り付けた場合にも安定な家具を提供する。【解決手段】  本発明の家具１において、左右の支持枠３、３は前後の竪枠１１、１３と前後の竪枠１１、１３を繋ぐ上下の横枠１５、１７とから構成してあり、棚板７は、前板２１と、後板２３とから構成してあり、前板２１の後端部と後板２３の前端部とを水平軸２５により前板２１の下面２１ｂと後板２３の下面２３ｂが接近するように折り畳み自在に連結してあり、側端面ブラケット２９は棚板７の前板２１及び後板２３の左右の端面に各々取り付けてあり、前板２１の側端面ブラケット２９に設けた係止フック２９ａ及び後板２３の側端面ブラケット２９に設けた係止フック２９ａを、各竪枠１１、１３の係止孔１９の下縁１９ａに係止している。【選択図】      図１
2005185501.tif 000002
【特許請求の範囲】
【請求項１】
左右の支持枠と、棚板と、側端面ブラケットとを備え、各支持枠は前後の竪枠と前後の竪枠を繋ぐ上下の横枠とから構成してあり、各竪枠は係止孔を有し、棚板は、前板と、後板とから構成してあり、前板の後端部と後板の前端部とを水平軸により前板の下面と後板の下面が接近するように折り畳み自在に連結してあり、側端面ブラケットは棚板の前板及び後板の左右の端面に各々取り付けてあり、前板の側端面ブラケットに設けた係止フック及び後板の側端面ブラケットに設けた係止フックを、各竪枠の係止孔の下縁に係止してあることを特徴とする家具。
【請求項２】
前竪枠と前板に取り付けた側端面ブラケットとの間、及び後竪枠と後板に取り付けた側端面ブラケットとの間には互いに当接し合うテーパ面が設けてあり、テーパ面は左右方向に傾斜していることを特徴とする請求項１に記載の家具。
【請求項３】
左右の支持枠と、棚板と、側端面ブラケットと、棚板よりも面積の大きいテーブルと、テーブルブラケットとを備え、各支持枠は前後の竪枠と前後の竪枠を繋ぐ上下の横枠とから構成してあり、各竪枠は係止孔を有し、側端面ブラケットは前後に係止フックを有し且つ棚板の左右の端面に各々取り付けてあり、前後の係止フックを支持枠の前竪枠及び後竪枠の係止孔の下縁に係止してあり、テーブルは支持枠の前竪枠及び後竪枠に係止した棚板に載置して前端縁を棚板より前方へ突出するものであり、テーブルブラケットは前後に係止部を有し且つテーブルの左右端面に各々取り付けてあり、前後の係止部を支持枠の前竪枠及び後竪枠の係止孔に係止してあるとともに、テーブルブラケットの係止部で側端面ブラケットの係止フックの上方移動を各々規制していることを特徴とする家具。
【請求項４】
左右の支持枠と、棚板と、側端面ブラケットと、棚板よりも面積の大きいテーブルと、テーブルブラケットとを備え、各支持枠は前後の竪枠と前後の竪枠を繋ぐ上下の横枠とから構成してあり、各竪枠は係止孔を有し、側端面ブラケットは前後に係止フックを有し且つ棚板の左右の端面に各々取り付けてあり、前後の係止フックを支持枠の前竪枠及び後竪枠の係止孔の下縁に係止してあり、テーブルは支持枠の前竪枠及び後竪枠に係止した棚板に載置して前端縁を棚板より前方へ突出するものであり、テーブルブラケットは後に係止部を有し且つテーブルの左右端面に各々取り付けてあり、係止部を支持枠の後竪枠の係止孔に係止してあるとともに、テーブルブラケットの係止部で側端面ブラケットの後の係止フックの上方移動を規制していることを特徴とする家具。
【発明の詳細な説明】
【技術分野】
【０００１】
本発明は、棚等の家具に関する。
【背景技術】
【０００２】
特許文献１には、左右の支持枠を横枠で繋ぎ、棚板に設けたブラケットの係止フックを前後の竪枠の係止孔に係止して、左右の支持枠間に棚板を取り付ける技術が開示されている。
特許文献２には、左右の支持枠は台車の台枠に固定して、左右の支持枠に棚板を係止する技術が開示されている。
一方、棚板を折り畳み自在にして支持枠に係止して組み立てるものや、棚板にテーブルを設けたものは従来なかった。
【０００３】
【特許文献１】実開平５−１８３２７号公報
【特許文献２】特許第２９１８８３３号公報
【発明の開示】
【発明が解決しようとする課題】
【０００４】
しかし、特許文献１や特許文献２に記載の技術では、左右の支持枠を横枠で連結したり台枠に固定して左右の支持枠を自立させた後に、棚板を支持枠間に取り付ける構成であるから、組み立てが煩雑であるという問題がある。
【０００５】
そこで、本発明は、組み立てが簡単にでき且つ折り畳み自在な棚板やテーブルを取り付けた場合にも安定な家具の提供を目的とする。
【課題を解決するための手段】
【０００６】
請求項１に記載の発明は、左右の支持枠と、棚板と、側端面ブラケットとを備え、各支持枠は前後の竪枠と前後の竪枠を繋ぐ上下の横枠とから構成してあり、各竪枠は係止孔を有し、棚板は、前板と、後板とから構成してあり、前板の後端部と後板の前端部とを水平軸により前板の下面と後板の下面が接近するように折り畳み自在に連結してあり、側端面ブラケットは棚板の前板及び後板の左右の端面に各々取り付けてあり、前板の側端面ブラケットに設けた係止フック及び後板の側端面ブラケットに設けた係止フックを、各竪枠の係止孔の下縁に係止してあることを特徴とする。
【０００７】
請求項２に記載の発明は、請求項１に記載の発明において、前竪枠と前板に取り付けた側端面ブラケットとの間、及び後竪枠と後板に取り付けた側端面ブラケットとの間には互いに当接し合うテーパ面が設けてあり、テーパ面は左右方向に傾斜していることを特徴とする。
【０００８】
請求項３に記載の発明は、左右の支持枠と、棚板と、側端面ブラケットと、棚板よりも面積の大きいテーブルと、テーブルブラケットとを備え、各支持枠は前後の竪枠と前後の竪枠を繋ぐ上下の横枠とから構成してあり、各竪枠は係止孔を有し、側端面ブラケットは前後に係止フックを有し且つ棚板の左右の端面に各々取り付けてあり、前後の係止フックを支持枠の前竪枠及び後竪枠の係止孔の下縁に係止してあり、テーブルは支持枠の前竪枠及び後竪枠に係止した棚板に載置して前端縁を棚板より前方へ突出するものであり、テーブルブラケットは前後に係止部を有し且つテーブルの左右端面に各々取り付けてあり、前後の係止部を支持枠の前竪枠及び後竪枠の係止孔に係止してあるとともに、テーブルブラケットの係止部で側端面ブラケットの係止フックの上方移動を各々規制していることを特徴とする。
【０００９】
請求項４に記載の発明は、左右の支持枠と、棚板と、側端面ブラケットと、棚板よりも面積の大きいテーブルと、テーブルブラケットとを備え、各支持枠は前後の竪枠と前後の竪枠を繋ぐ上下の横枠とから構成してあり、各竪枠は係止孔を有し、側端面ブラケットは前後に係止フックを有し且つ棚板の左右の端面に各々取り付けてあり、前後の係止フックを支持枠の前竪枠及び後竪枠の係止孔の下縁に係止してあり、テーブルは支持枠の前竪枠及び後竪枠に係止した棚板に載置して前端縁を棚板より前方へ突出するものであり、テーブルブラケットは後に係止部を有し且つテーブルの左右端面に各々取り付けてあり、係止部を支持枠の後竪枠の係止孔に係止してあるとともに、テーブルブラケットの係止部で側端面ブラケットの後の係止フックの上方移動を規制していることを特徴とする。
【発明の効果】
【００１０】
請求項１に記載の発明によれば、折り畳んだ棚板を広げて棚板の側端面ブラケットを左右の支持枠に係止するだけで組み立てでき、棚板が左右の支持枠を繋いで自立させているので、従来技術のように左右の支持枠を横枠で繋いだり台枠に固定しないで済み、組み立てが簡単である。
棚板は折り畳んで小さくして左右の支持枠間に配置した後、棚板を広げることにより支持枠間に係止できるので、棚板を一枚板で構成して取り付ける場合に比較して左右の支持枠間に配置しやすい。
また、棚板は折り畳んで小さくできるので運搬が容易である。
【００１１】
請求項２に記載の発明によれば、請求項１に記載の効果を奏するとともに、棚板の左右方向のガタツキを防止できる。
【００１２】
請求項３に記載の発明によれば、左右の支持枠に棚板に取り付けた側端面ブラケットを係止し、棚板上にテーブルを載置してテーブルブラケットを前後の竪枠の係止孔に係止するだけで済み、従来技術のような左右の支持枠を横枠で繋いだり台枠に固定しないので、組み立てが簡単にできる。
左右の支持枠に上方から係止してある棚板にはテーブルを載置して、棚板にテーブルの荷重を作用しているので、安定である。
テーブルは、棚板に載置して、テーブルブラケットの係止部を前後の竪枠の係止孔に係止するだけで済み、テーブルの取り付けが簡単にできる。
テーブルは、テーブルブラケットの係止部で前側端面ブラケット及び後側端面ブラケットに設けた係止フックの上方への移動を規制しているので、テーブルの下に設けている棚板の上下方向のガタツキを防止でき、棚板が支持枠から外れることを防止できる。
【００１３】
請求項４に記載の発明によれば、左右の支持枠に棚板に取り付けた側端面ブラケットを係止し、棚板上にテーブルを載置してテーブルブラケットを後竪枠の係止孔に係止するだけで済み、従来技術のような左右の支持枠を横枠で繋いだり台枠に固定しないので、組み立てが簡単にできる。
左右の支持枠に上方から係止してある棚板にはテーブルを載置して、棚板にテーブルの荷重を作用しているので、安定である。
テーブルは、棚板に載置して、テーブルブラケットの後の係止部を後竪枠の係止孔に係止するだけで済み、テーブルの取り付けが簡単にできる。
テーブルは、テーブルブラケットの後に設けた係止部で後側端面ブラケットに設けた係止フックの上方への移動を規制しているので、テーブルの下に設けている棚板の上下方向のガタツキを防止でき、棚板が支持枠から外れることを防止できる。
【発明を実施するための最良の形態】
【００１４】
以下に、添付図面を参照して本発明の実施の形態を説明する。図１は図６のＡ−Ａ断面図であり、図２は図６のＢ−Ｂ断面図であり、図３は図６のＣ−Ｃ断面図であり、図４は側端面ブラケットの図であり、（ａ）は正面図であり、（ｂ）は上面図であり、（ｃ）は側面図であり、図５はテーブルブラケットの図であり、（ａ）は上面図であり、（ｂ）は正面図であり、（ｃ）は底面図であり、（ｄ）は側面図であり、図６は第１実施の形態にかかる家具の図であり、（ａ）は正面図であり、（ｂ）は上面図であり、（ｃ）は側面図である。尚、図１において、一点鎖線で抜き出して示すのは竪枠の裏面側を切断した縦断面図である。
本発明の第１実施の形態にかかる家具１は組み立て式の棚であり、左右の支持枠３、３と、棚板７と、テーブル９とから構成されている。
各支持枠３は、それぞれ前竪枠１１と、後竪枠１３と、前後の竪枠１１、１３を繋ぐ上横枠１５と下横枠１７とから構成されている。
前竪枠１１と後竪枠１３は同じ形状の形材であり、前竪枠１１の後面と後竪枠１３の前面には、上下に所定間隔を開けて複数の係止孔１９が形成されており、且つ係止孔１９は左右に２列に形成されている。
前竪枠１１の後面側と後竪枠１３の前面側には、左右方向に傾斜するテーパ面２０が形成されている。このテーパ面２０は各竪枠１１、１３の左右両側に形成されている。また、左右の前竪枠１１、１１と左右の後竪枠１３、１３とでそれぞれテーパ面２０の傾斜方向を左右反対にしている。
棚板７は、前板２１と、後板２３とから構成してあり、前板２１の後端部２１ａと後板２３の前端部２３ａとは水平軸２５により回動自在に連結してあり、前板２１の下面２１ｂと後板２３の下面２３ｂが接近するように折り畳み自在になっている。また、前板２１の後端部２１ａと後板２３の前端部２３ａとには指詰め防止凹部２７が形成されており、棚板７を回動して折り畳むときの指詰めが防止されている。
前板２１と後板２３との左右の端面の各々には、側端面ブラケット２９が取り付けてある。前板２１と後板２３とには同じ形状の側端面ブラケット２９が取り付けてあり、前板２１の側端面ブラケット２９の先端には係止フック２９ａが設けられており、後板２３に設けた側端面ブラケット２９の後端にも係止フック２９ａが設けられている。前板２１の係止フック２９ａは前竪枠１１の係止孔１９の下縁１９ａに係止されており、後板２３の係止フック２９ａは後竪枠の係止孔１９の下縁１９ａに係止されている。
前板２１の側端面ブラケット２９と後板２３の側端面ブラケット２９には、互いに対向する端部に指詰め防止凹部３１が形成されており、前板２１と後板２３とともに側端面ブラケット２９を回動して折り畳むときの指詰めが防止されている。
側端面ブラケット２９の側面には係止フック２９ａに近接する位置に左右方向に傾斜するテーパ面３３が形成されており、テーパ３３は係止フック２９ａが各竪枠に係止したときに竪枠１１（又は１３）のテーパ面２０と互いに当接している。
テーブル９は、左右の前竪枠１１、１１及び後竪枠１３、１３に水平に係止した棚板７に載置してあり、棚板７よりも面積が大きく、前端部９ａを棚板７の前方に突出している。テーブル９には脚部３９が設けてあり、この脚部３９を棚板７上に載せている。
テーブル９の左右の各々には、テーブルブラケット３５が取り付けられている。テーブルブラケット３５には、前竪枠１１及び後竪枠１３に設けた係止孔１９へ係止する係止部３７が前後にそれぞれ設けてある。
テーブルブラケット３５の係止部３７は、係止孔１９内において、側端面ブラケット２９の係止部２９ａの上に位置しており、テーブルブラケット３５の係止部３７で前板側端面ブラケット２９及び後板側端面ブラケット２９に設けた各係止フック２９ａ、２９ａの上方移動を各々規制している。
【００１５】
次に、本実施の形態にかかる家具１の作用効果及び組み立てについて説明する。
家具１の組み立ては、左右の支持枠３、３間に、前板２１の下面２１ｂと後板２３の下面２３ｂを近接するように折り畳んだ棚板７を配置して（図１に二点鎖線で示す）、折り畳んである棚板７を広げ、前板２１及び後板２３の各左右に取り付けてある側端面ブラケット２９の係止フック２９ａを前後の竪枠１１、１３にある係止孔１９の下縁に係止する。次に、テーブル９を任意の棚板７上に載置して、テーブルブラケット３５の係止部３７を、各前後の竪枠１１、１１、１３、１３の係止孔１９に係止する。
本実施の形態によれば、棚板７は折り畳んだ状態で小さくした状態で左右の支持枠３、３間に配置し、次に棚板７を広げることにより左右の支持枠３、３間に係止するだけで組み立てでき、棚板７が左右の支持枠３、３を繋いで自立させているので、従来技術のように左右の支持枠を横枠で繋いだり台枠に固定しないで済み、組み立てが簡単である。
棚板７は折り畳んで小さくして左右の支持枠３、３間に配置した後、棚板７を広げることにより支持枠３、３間に係止できるので、棚板７を一枚板で構成して取り付ける場合に比較して左右の支持枠３、３間に配置しやすい。
さらに、左右の支持枠３、３は前後の板材２１、２３で各々繋いであるので、棚板７は前後板２１、２３を回動して折り畳み自在としても、従来技術のような左右の支持枠３、３を横枠で繋いだり台枠で固定しなくて済み、組み立てが簡単である。
棚板７は前板２１と後板２３とを回動自在に連結してあるので、組み立て前には前板２１と後板２３とを折り畳んで小さくできるので運搬が容易である。
前竪枠１１と前板に取り付けた側端面ブラケット２９との間、及び後竪枠１３と後板２３に取り付けた側端面ブラケット２９との間には互いに当接し合うテーパ面２０、３３が設けてあるので、棚板７の左右方向のガタツキを防止できる。
テーブル９は、棚板７に載置して、テーブルブラケット３５を前後の竪枠１１、１３の係止孔１９に係止するだけで済み、テーブルを設ける場合にも組み立てが簡単にできる。また、テーブル９は後付けできるので、必要に応じて取り付けできる。
棚板７には、テーブル９の荷重を作用させることができるので、棚板を強固に固定できる。
テーブルブラケット３５の係止部３７で側端面ブラケット２９及び後側端面ブラケットに設けた係止フック２９ａ、２９ａの上方への移動を規制しているので、テーブル９の下に設けている棚板７の上下方向のガタツキを防止でき、棚板７が支持枠３、３からはずれることを防止できる。
【００１６】
次に、図７を参照して本発明の他の実施の形態を説明するが、以下に説明する実施の形態において、上述した実施の形態と同一の作用効果を奏する部分には同一の符号を付することによりその部分の詳細な説明を省略し、上述した実施の形態と主に異なる点を説明する。尚、図７は、第２実施の形態にかかる家具において図６に示すＡ−Ａ線と同じ位置で切断した断面図である。
この第２実施の形態では、テーブルブラケット３５は、前後の後にのみ係止部３７を備えており、後竪枠１３の係止孔１９にテーブルブラケット３５の後に設けた係止部３７を係止し、テーブルブラケット３５の後の係止部３７で側端面ブラケット２９の後にある係止フック２９ａの上方移動を規制している。
【００１７】
この第２実施の形態では、テーブルブラケット３５の後にのみ後竪枠１３の係止孔１９に係止する係止部３７を設けており、テーブルブラケット３５は前竪枠１１の係止孔１９には係止していないが、側端面ブラケット２９及び棚板７にはテーブル９の荷重がかかっており、しかもテーブル９は棚板７よりも前方に突出しているのでテーブル９が前方に突出していない場合に比較して棚板７の前部には大きな荷重が作用し、側端面ブラケット２９の前にある係止フック２９ａも上方へ移動し難い。また、少なくともテーブルブラケット３５の後の係止部３７が側端面ブラケット２９の後にある係止フック２９ａの上方への移動を規制しているので、側端面ブラケット２９が前後の竪枠１１、１３から外れるのを防止できる。
【００１８】
本発明は、上述した実施の形態に限らず、本発明の要旨を逸脱しない範囲で種々変形可能である。
例えば、前後の竪枠１１、１３に設けた係止孔１９は左右２列形成することに限らず、一列のみであってもよい。
家具は棚に限らず、キャビネット等であってもよい。
請求項３に記載の発明においては、棚板７は前板２１と後板２３とを回動自在に連結したものに限らず、一枚板であってもよい。
【図面の簡単な説明】
【００１９】
【図１】図６のＡ−Ａ断面図である。
【図２】図６のＢ−Ｂ断面図である。
【図３】図６のＣ−Ｃ断面図である。
【図４】側端面ブラケットの図であり、（ａ）は正面図であり、（ｂ）は上面図であり、（ｃ）は側面図である。
【図５】テーブルブラケットの図であり、（ａ）は上面図であり、（ｂ）は正面図であり、（ｃ）は底面図であり、（ｄ）は側面図である。
【図６】第１実施の形態にかかる家具の図であり、（ａ）は正面図であり、（ｂ）は上面図であり、（ｃ）は側面図である。
【図７】第２実施の形態にかかる家具の図であり、第２実施の形態にかかる家具を図６に示すＡ−Ａ線と同じ位置で切断した断面図である。
【符号の説明】
【００２０】
１      家具
３      支持枠
７      棚板
９      テーブル
１１    前竪枠
１３    後竪枠
１５    上横枠
１７    下横枠
１９    係止孔
１９ａ  下縁
２０    テーパ面
２１    前板
２１ｂ  下面
２３    後板
２３ｂ  下面
２５    水平軸
２９    側端面ブラケット
２９ａ  係止フック
３３    テーパ面
３５    テーブルブラケット
３７    係止部
【図１】
2005185501.tif 000003
【図２】
2005185501.tif 000004
【図３】
2005185501.tif 000005
【図４】
2005185501.tif 000006
【図５】
2005185501.tif 000007
【図６】
2005185501.tif 000008
【図７】
2005185501.tif 000009